(57)【要約】【課題】照明室の庫内灯上方に位置する壁が溶けるのを防止する上で、作業性が良く、コストダウンも図れるようにした冷却貯蔵庫を提供すること。【解決手段】内部に設けられた庫内灯２１上方の天面に嵌合凸部３６が形成されて貯蔵室６ａの天井に取付けられる取付部材２３と、この嵌合凸部３６が下方から嵌合孔３０を介して嵌合する嵌合凸部３１を備えて前記取付部材２３上に取付けられると共にこの嵌合凸部３１の周囲に冷却器からの冷気が流れるようにしたダクトカバー２４と、前記取付部材２３の嵌合凸部３６上面に貼付される放熱効果の高いアルミニウム製のテープ３９とを設ける。【選択図】  図３
2004257571.tif 000002
【特許請求の範囲】
【請求項１】
貯蔵室の天井に冷却器で冷却された冷気の一部をこの貯蔵室内に冷気吹出口を介して供給するダクトを設けた冷却貯蔵庫において、内部に設けられた庫内灯上方の天面に凸部が形成されて前記貯蔵室の天井に取付けられる取付部材と、この凸部が嵌合する嵌合部を備えて前記取付部材上に取付けられると共にこの嵌合部の周囲に前記冷気が流れるようにしたダクトカバーと、前記取付部材の凸部上面に設けられる放熱効果の高い部材とを設けたことを特徴とする冷却貯蔵庫。
【請求項２】
貯蔵室の天井に冷却器で冷却された冷気の一部をこの貯蔵室内に冷気吹出口を介して供給するダクトを設けた冷却貯蔵庫において、内部に設けられた庫内灯上方の天面に凸部が形成されて前記貯蔵室の天井に取付けられる取付部材上にこの凸部を嵌合部に嵌合させることによりこの嵌合部の周囲に前記冷気が流れるようにしたダクトカバーを取付け、前記取付部材の凸部上面に放熱効果の高い部材を設けたことを特徴とする冷却貯蔵庫。
【請求項３】
前記放熱効果の高い部材はアルミニウムで作製されたテープであることを特徴とする請求項１又は２に記載の冷却貯蔵庫。
【発明の詳細な説明】
【０００１】
【発明の属する技術分野】
本発明は、貯蔵室の天井に冷却器で冷却された冷気の一部をこの貯蔵室内に冷気吹出口を介して供給するダクトを設けた冷却貯蔵庫に関し、しかも庫内灯を備えた冷却貯蔵庫に関する。
【０００２】
【従来の技術】
この種の冷却貯蔵庫では、照明室の庫内灯上方に位置する壁にはその内側面に金属箔などの反射部材を貼ることにより、庫内灯の熱を受け易い天面ダクト部が溶けるのを防止する技術が、例えば特開平５−１４１８６４号公報に開示されている。
【０００３】
【特許文献】
特開平５−１４１８６４号公報
【０００４】
【発明が解決しようとする課題】
しかしながら、照明室の庫内灯上方に位置する壁の内側面に庫内灯反射板を取り付けるために作業性が悪く、またコストも高いものである。
【０００５】
そこで本発明は、上述のような点に鑑みて発明されたものであり、照明室の庫内灯上方に位置する壁が溶けるのを防止する上で、作業性が良く、コストダウンも図れるようにした冷却貯蔵庫を提供することを目的とする。
【０００６】
【課題を解決するための手段】
このため第１の発明は、貯蔵室の天井に冷却器で冷却された冷気の一部をこの貯蔵室内に冷気吹出口を介して供給するダクトを設けた冷却貯蔵庫において、内部に設けられた庫内灯上方の天面に凸部が形成されて前記貯蔵室の天井に取付けられる取付部材と、この凸部が嵌合する嵌合部を備えて前記取付部材上に取付けられると共にこの嵌合部の周囲に前記冷気が流れるようにしたダクトカバーと、前記取付部材の凸部上面に設けられる放熱効果の高い部材とを設けたことを特徴とする。
【０００７】
第２の発明は、貯蔵室の天井に冷却器で冷却された冷気の一部をこの貯蔵室内に冷気吹出口を介して供給するダクトを設けた冷却貯蔵庫において、内部に設けられた庫内灯上方の天面に凸部が形成されて前記貯蔵室の天井に取付けられる取付部材上にこの凸部を嵌合部に嵌合させることによりこの嵌合部の周囲に前記冷気が流れるようにしたダクトカバーを取付け、前記取付部材の凸部上面に放熱効果の高い部材を設けたことを特徴とする。
【０００８】
第３の発明は、第１又は第２の発明において、前記放熱効果の高い部材はアルミニウムで作製されたテープであることを特徴とする。
【０００９】
【発明の実施の形態】
以下本発明の実施形態について、図１乃至図４を参照しつつ説明する。図１及び図２において、冷却貯蔵庫である冷凍冷蔵庫１の本体２は、前面に開口部を有する鋼板製の外箱３と、この外箱３内に間隔を持たせて組み込まれ、前面に開口部を有する合成樹脂製の内箱４と、これら外箱３と内箱４との間に充填発泡された発泡ポリウレタン断熱材５とから構成されている。
【００１０】
内箱は上下に仕切る水平の仕切部によって上下４段に区画され貯蔵室が形成されている。最上段に冷蔵室６ａ、２段目に野菜室６ｂ、３段目に製氷室６ｃ及び第１冷凍室６ｄ、４段目に第２冷凍室６ｅが配置されている。
【００１１】
これら各貯蔵室の前面開口側には、各貯蔵室に対応して開閉自在に密閉される開閉扉７ａ〜７ｅが設けられている。最上段の前記冷蔵室６ａには複数の食品棚８が上下に間隔を置いて設けられている。また、冷蔵室６ａの前面開口部に設けられた開閉扉７ａ裏面には飲料や食品を収納する複数の収納ラック９が設けられている。
【００１２】
本体２の背面側下部にはコンプレッサ１２が設けられ、本体２内の各貯蔵室後方には冷蔵室６ａ及び野菜室６ｂに冷気を供給する冷蔵室用ダクト１３と、製氷室６ｃ、第１冷凍室６ｄ及び第２冷凍室６ｅに冷気を供給する冷凍室用ダクト１４が設けられている。そして、前記冷蔵室用ダクト１３内には、冷蔵室用冷却器１５及び送風機１６が設けられている。また、前記冷凍室用ダクト１４には、冷凍室用冷却器１７及び送風機１８が設けられている。
【００１３】
更に、冷蔵室用ダクト１３には天面ダクト１９が連通され、この天面ダクト１９には本体２内の前面側上部から下向きに冷気を供給する冷気吹出口２０が設けられている。この天面ダクト１９などについて、以下詳述する。
【００１４】
この冷蔵室６ａの天井を形成する内箱４には、大きく分けて、前部に前記冷気吹出口２０が形成されると共に下面に前記開閉扉７ａが開いたときに点灯する庫内灯２１がソケット２２を介して取付けられる取付板２３、この取付板２３の上面に取付けられたダクトカバー２４、前記取付板２３に形成された庫内灯収納用の凹部２５を覆う透明カバー２６が設けられる。
【００１５】
前記ダクトカバー２４の上面中央部にはその中央に嵌合孔３０が開設されその周りに冷気が流れる嵌合凸部３１が設けられ、左右には嵌合立壁３２が形成されており、この嵌合立壁３２と嵌合凸部３１との間に冷気が流れるものである。
【００１６】
前記取付板２３の上面の左右部には前記ダクトカバー２４の嵌合立壁３２を外側から押圧保持する押圧部３５が設けられ、中央部には前記嵌合凸部３１に下方から嵌合孔３０を介して嵌合する嵌合凸部３６が設けられ、更に前部には前記冷気吹出口２０が開設される。そして、前記嵌合凸部３６の後部には前記庫内灯２１が取付けられたソケット２２を取付けるために取付開口３７が開設されると共に、この嵌合凸部３６の中央部には内部に空間Ｓを形成するための凸部３８が設けられている。更に、この凸部３８の上面には十分な放熱効果がある（熱伝導性が良好）アルミニウム製の片面に接着剤が塗布されたテープ３９が貼付されている。
【００１７】
そして、この取付板２３に前記庫内灯２１が取付けられたソケット２２を取付け、更に嵌合凸部３１に下方から嵌合孔３０を介して嵌合凸部３６が嵌合すると共に各嵌合立壁３２を外側から各押圧部３５が押圧保持することによりこの取付板２３上にダクトカバー３４を取付け、この取付板２３の後端部に設けた挿入片４０を冷蔵室６ａの天井を形成する内箱４に開設した開口後縁部上に挿入重合させながら、同じく冷蔵室６ａの天井を形成する内箱４に開設した開口前縁部に係合部４１を係合させて、ダクトカバー３４及び取付板２３を冷蔵室６ａの天井を形成する内箱４に取付ける。また、この内箱４への取付けの前後いずれかに、庫内灯収納用の凹部（照明室）２５を覆うように透明カバー２６を取付ける。
【００１８】
以上のように取付けた状態で、外箱３と内箱４との間に充填発泡して発泡ポリウレタン断熱材５を構成する。そして、冷蔵室６ａを使用するために開閉扉７ａを開けると、図示しないスイッチが動作し、庫内灯２１が点灯する。しかし、前記取付板２３の凸部３８の上面（外側）には十分な放熱効果があるアルミニウム製のテープ３９が貼付されているので、庫内灯２１の熱を受け易い凸部３８の壁面が溶けてしまうことが防止される。
【００１９】
しかも、庫内灯収納用の凹部（照明室）２５の庫内灯２２の上方に位置する凸部３８の壁面が溶けるのを防止する上で、従来のように凸部３８の壁面の内側に反射板を取付けるのに比して、作業性が良く、コストダウンも図れるものである。
【００２０】
なお、本実施形態では、凸部３８の上面（外側）に十分な放熱効果があるアルミニウム製のテープ３９を貼付するようにしたが、熱伝導性が良好なパテなどを塗布するようにしてもよい。
【００２１】
以上本発明の実施形態について説明したが、上述の説明に基づいて当業者にとって種々の代替例、修正又は変形が可能であり、本発明はその趣旨を逸脱しない範囲で前述の種々の代替例、修正又は変形を包含するものである。
【００２２】
【発明の効果】
以上のように本発明によれば、照明室の庫内灯上方に位置する壁が溶けるのを防止する上で、作業性が良く、コストダウンも図れるようにした冷却貯蔵庫を提供することができる。
【図面の簡単な説明】
【図１】冷凍冷蔵庫の正面図である。
【図２】冷凍冷蔵庫の縦断側面図である。
【図３】冷凍冷蔵庫の要部縦断側面図である。
【図４】取付板やダクトカバーなどの分解斜視図である。
【符号の説明】
１                冷凍冷蔵庫
２                本体
４                内箱
２１              庫内灯
２３              取付部材
２４              ダクトカバー
３０              嵌合孔
３１              嵌合凸部
３６              嵌合凸部
３９              テープ
【図１】
2004257571.tif 000003
【図２】
2004257571.tif 000004
【図３】
2004257571.tif 000005
【図４】
2004257571.tif 000006